(57)【特許請求の範囲】
【請求項１】
現在位置を検出する現在位置検出部と、
表示部の表示画面に配置されたタッチパネルと、
前記タッチパネルを介して検出されるユーザーの操作に応動して、前記表示部の表示を切り換え制御する制御部とを備え、
前記制御部は、
前記表示画面の１辺に沿った帯状の領域に、現在位置又は経路案内を文字により表示すると共に、残る領域の全部又は一部に、地図を表示し、
前記ユーザーの指示により、前記帯状の領域の表示を、少なくとも前記地図に関する操作を受け付けるメニューの表示に切り換え、
前記地図に関する操作を受付けるメニューは、前記帯状の領域のみに表示される、
表示装置。
【請求項２】
前記制御部は、
一定時間の間、前記タッチパネルの操作が検出されない場合、前記帯状の領域における前記メニューの表示を中止して元の表示に切り換える
請求項１に記載の表示装置。
【請求項３】
表示部に地図を表示する表示装置の
表示方法において、
前記表示装置は、
現在位置を検出する現在位置検出部と、
前記表示部の表示画面に配置されたタッチパネルとを備え、
前記表示方法は、
前記表示画面の１辺に沿った帯状の領域に、現在位置又は経路案内を文字により表示すると共に、残る領域の全部又は一部に、地図を表示する表示ステップと、
前記ユーザーの指示により、前記帯状の領域の表示を、少なくとも前記地図に関する操作を受け付けるメニューの表示に切り換える表示切り換えのステップとを有し、
前記地図に関する操作を受付けるメニューは、前記帯状の領域のみに表示される、
表示方法。
【請求項４】
コンピュータを、
現在位置を検出する現在位置検出部と、
表示部の表示画面に配置されたタッチパネルと、
前記タッチパネルを介して検出されるユーザーの操作に応動して、前記表示部の表示を切り換え制御する制御部とを備え、
前記制御部は、
前記表示画面の１辺に沿った帯状の領域に、現在位置又は経路案内を文字により表示すると共に、残る領域の全部又は一部に、地図を表示し、
前記ユーザーの指示により、前記帯状の領域の表示を、少なくとも前記地図に関する操作を受け付けるメニューの表示に切り換え、
前記地図に関する操作を受付けるメニューは、前記帯状の領域のみに表示される、
表示装置として機能させるためのプログラム。
【請求項５】
コンピュータを、
現在位置を検出する現在位置検出部と、
表示部の表示画面に配置されたタッチパネルと、
前記タッチパネルを介して検出されるユーザーの操作に応動して、前記表示部の表示を切り換え制御する制御部とを備え、
前記制御部は、
前記表示画面の１辺に沿った帯状の領域に、現在位置又は経路案内を文字により表示すると共に、残る領域の全部又は一部に、地図を表示し、
前記ユーザーの指示により、前記帯状の領域の表示を、少なくとも前記地図に関する操作を受け付けるメニューの表示に切り換え、
前記地図に関する操作を受付けるメニューは、前記帯状の領域のみに表示される、
表示装置として機能させるためのプログラムを記録した、コンピュータに読取り可能な記録媒体。
【発明の詳細な説明】
【技術分野】
【０００１】
本発明は、ナビゲーション装置、ナビゲーション装置の表示方法、ナビゲーション装置の表示方法のプログラム及びナビゲーション装置の表示方法のプログラムを記録した記録媒体に関し、例えばＰＮＤ（personal navigation device）に適用することができる。本発明は、表示画面の１辺に沿った帯状の領域に、現在位置又は経路案内を文字表示し、ユーザーの指示により、この帯状の領域の表示をメニューの表示に切り換えることにより、地図の表示領域の著しい減少を有効に回避して各種情報をユーザーに通知し、またユーザーの操作を受け付けることができるようにする。
【背景技術】
【０００２】
従来、ナビゲーション装置は、ディスプレイで表示した地図を用いて、現在位置、経路案内をユーザーに通知している。ここでこの地図を用いた現在位置の通知は、地図上にマーカーを表示して実行される。また地図を用いた経路案内の通知は、例えば特表２００６−５２２３１７号公報に開示されているように、進行方向を矢印で表示して実行される。
【０００３】
従来、ナビゲーション装置は、このような地図を用いたユーザーへの通知に加えて、音声及び又は文字により現在位置、経路案内をユーザーに通知している。ここで文字による現在位置の通知は、例えば「○○通り」等の、通り、交差点等による現在位置の名称を、画面の隅に表示して実行される。また文字による経路案内の通知は、「右折して○○通りを走行……」等の、経路を指示する文章を、画面の隅に表示して実行される。
【０００４】
地図を用いた現在位置、経路案内の通知に加えて、文字により現在位置、経路案内をユーザーに通知すれば、ユーザーの使い勝手を一段と向上することができる。この文字による現在位置の通知に関して、特開２００７−１３９５２６号公報には、現在位置を示すマーカーからの吹き出しにより通りの名称を表示する構成が開示されている。
【０００５】
ところでナビゲーション装置では、地図の縮尺の変更、ルートの確認等の、ユーザーによる各種操作を受け付けることが必要であり、これらの操作をＧＵＩ（Graphical User Interface）により実行してユーザーの使い勝手を向上することができると考えられる。
【０００６】
しかしながらこれらの各種操作の係るＧＵＩを単に設けたのでは、限られた表示画面を現在位置等を通知する文字表示、各種操作に係るメニューが占め、著しく使い勝手が悪くなる問題がある。また地図の表示領域が著しく小さくなる問題もある。
【特許文献１】特表２００６−５２２３１７号公報
【特許文献２】特開２００７−１３９５２６号公報
【発明の開示】
【発明が解決しようとする課題】
【０００７】
本発明は以上の点を考慮してなされたもので、地図の表示領域の著しい減少を有効に回避して各種情報をユーザーに通知し、またユーザーの操作を受け付けることができるナビゲーション装置、ナビゲーション装置の表示方法、ナビゲーション装置の表示方法のプログラム及びナビゲーション装置の表示方法のプログラムを記録した記録媒体を提案しようとするものである。
【課題を解決するための手段】
【０００８】
上記の課題を解決するため請求項１の発明は、記録部に保持した地図データに基づいて表示部に地図を表示するナビゲーション装置に適用して、現在位置を検出する現在位置検出部と、前記表示部の表示画面に配置されたタッチパネルと、前記タッチパネルを介して検出されるユーザーの操作に応動して、前記表示部の表示を切り換え制御する制御部とを備え、前記制御部は、前記表示画面の１辺に沿った帯状の領域に、現在位置又は経路案内を文字により表示すると共に、残る領域の全部又は一部に、地図を表示し、前記ユーザーの指示により、前記帯状の領域の表示を、少なくとも前記地図に関する操作を受け付けるメニューの表示に切り換える。
【０００９】
また請求項３の発明は、記録部に保持した地図データに基づいて表示部に地図を表示するナビゲーション装置の表示方法に適用して、前記ナビゲーション装置は、現在位置を検出する現在位置検出部と、前記表示部の表示画面に配置されたタッチパネルとを備え、前記表示方法は、前記表示画面の１辺に沿った帯状の領域に、現在位置又は経路案内を文字により表示すると共に、残る領域の全部又は一部に、地図を表示する表示ステップと、前記ユーザーの指示により、前記帯状の領域の表示を、少なくとも前記地図に関する操作を受け付けるメニューの表示に切り換える表示切り換えのステップとを有するようにする。
【００１０】
また請求項４の発明は、記録部に保持した地図データに基づいて表示部に地図を表示するナビゲーション装置の表示方法のプログラムに適用して、前記ナビゲーション装置は、現在位置を検出する現在位置検出部と、前記表示部の表示画面に配置されたタッチパネルとを備え、前記表示方法のプログラムは、前記表示画面の１辺に沿った帯状の領域に、現在位置又は経路案内を文字により表示すると共に、残る領域の全部又は一部に、地図を表示する表示ステップと、前記ユーザーの指示により、前記帯状の領域の表示を、少なくとも前記地図に関する操作を受け付けるメニューの表示に切り換える表示切り換えのステップとを有するようにする。
【００１１】
また請求項５の発明は、記録部に保持した地図データに基づいて表示部に地図を表示するナビゲーション装置の表示方法のプログラムを記録した記録媒体に適用して、前記ナビゲーション装置は、現在位置を検出する現在位置検出部と、前記表示部の表示画面に配置されたタッチパネルとを備え、前記表示方法のプログラムは、前記表示画面の１辺に沿った帯状の領域に、現在位置又は経路案内を文字により表示すると共に、残る領域の全部又は一部に、地図を表示する表示ステップと、前記ユーザーの指示により、前記帯状の領域の表示を、少なくとも前記地図に関する操作を受け付けるメニューの表示に切り換える表示切り換えのステップとを有するようにする。
【００１２】
請求項１、請求項３、請求項４、又は請求項５の構成によれば、表示画面の１辺に沿った帯状の領域で、各種情報をユーザーに通知し、またユーザーの操作を受け付けることができる。従って地図の表示領域の著しい減少を有効に回避しつつ、各種情報をユーザーに通知し、またユーザーの操作を受け付けることができる。
【発明の効果】
【００１３】
本発明によれば、地図の表示領域の著しい減少を有効に回避して各種情報をユーザーに通知し、またユーザーの操作を受け付けることができる。
【発明を実施するための最良の形態】
【００１４】
以下、適宜図面を参照しながら本発明の実施例を詳述する。
【実施例１】
【００１５】
（１）実施例の構成
図２は、本発明の実施例のナビゲーション装置を示す斜視図である。このナビゲーション装置１は、ＰＮＤであり、ユーザーの操作に応動して現在位置の地図を表示し、また目的地までの道案内の処理を実行する。ここでナビゲーション装置１は、正面に、地図、各種操作のメニュー等を表示する表示画面２が設けられ、この表示画面２の前面に、ユーザーの操作を検出するタッチパネル３が設けられる。またナビゲーション装置１は、側方にスピーカーが設けられ、上側端面に電源スイッチ４が設けられる。またナビゲーション装置１は、表示画面２の左端側に、メニューの表示を指示するメニューボタン５、現在地の表示を指示する現在地ボタン６が設けられる。
【００１６】
またナビゲーション装置１は、携帯して使用可能に内蔵の電池により動作する。またナビゲーション装置１は、矢印Ａにより示すように、クレードル８にセットして車両等で使用できるように構成される。ここでクレードル８は、車両のダッシュボード上等に固定され、ナビゲーション装置１を着脱可能に凹部に保持する。ナビゲーション装置１は、クレードル８にセットした場合、クレードル８から電源等の供給を受けて動作する。
【００１７】
図３は、ナビゲーション装置１の構成を示すブロック図である。ここでＧＰＳ（Global Positioning System ）部１１は、現在位置を検出する現在位置検出部であり、ＧＰＳ衛星から到来する電波を受信して処理することにより、現在位置を検出して中央処理ユニット１２に通知する。
【００１８】
表示部１３は、例えば液晶表示パネル（ＴＦＴ−ＬＣＤ:Thin Film Transistor-Liquid Crystal Display）により構成され、図２について上述した表示画面２を形成する。表示部１３は、中央処理ユニット１２の制御により地図、各種操作メニュー等を表示する。
【００１９】
操作部１４は、表示画面２に配置されたタッチパネル３、電源スイッチ４、メニューボタン５、現在地ボタン６等により構成され、ユーザーの操作を検出して中央処理ユニット１２に通知する。
【００２０】
音声回路１５は、中央処理ユニット１２から出力される音声データ、オーディオデータを処理し、処理結果である音声信号、オーディオ信号でスピーカー１６を駆動する。ランダムアクセスメモリ（ＲＡＭ）１９は、中央処理ユニット１２のワークエリアを構成する。リードオンリメモリ（ＲＯＭ）２０は、中央処理ユニット１２のプログラム、このプログラムの実行に必要な地図データ等を格納して保持する。なおこのリードオンリメモリ２０のプログラム及び各種データは、このナビゲーション装置１に事前にインストールして提供されるものの、これに代えて、光ディスク、磁気ディスク、メモリカード等の記録媒体に記録して提供するようにしてもよく、インターネット等のネットワークを介したダウンロードにより提供するようにしてもよい。
【００２１】
中央処理ユニット１２は、ナビゲーション装置１全体の動作を制御する制御部であり、ランダムアクセスメモリ１９にワークエリアを確保してリードオンリメモリ２０に記録されたプログラムを実行することにより、ナビゲーション装置１全体の動作を制御する。
【００２２】
中央処理ユニット１２は、このプログラムの実行により電源スイッチ４の操作に応動して全体の動作を立ち上げる。またメニューボタン５の操作によりトップメニュー画面を表示し、目的地を入力するメニュー、オーディオデータ、ビデオデータを再生するメニュー等を表示する。またこのトップメニュー画面でオーディオデータ、ビデオデータを再生するメニューが選択されると、図示しないメモリカードに記録されたオーディオデータ、ビデオデータを再生してユーザーに提供する。また目的地を入力するメニューが選択されると、電話番号、住所等の目的地を特定する情報の入力を受け付けた後、ルート検索の処理を実行する。またルート検索結果及びＧＰＳ部１１で取得される現在位置情報に基づいて検索したルートにより道案内の処理を開始する。
【００２３】
これに対して現在地ボタン６が操作されると、中央処理ユニット１２は、表示画面２に現在位置の地図を表示する。また中央処理ユニット１２は、この地図の表示におけるユーザーの操作によっても目的地の入力を受け付けて道案内の処理を開始する。また中央処理ユニット１２は、道案内の処理を開始すると、表示部２に現在位置の地図を表示し、この表示画面２上で経路案内を表示し、さらには文字、若しくは文字及び音声により経路案内を通知する。
【００２４】
ここで図１は、この道案内の処理中における表示画面２の表示を示す平面図である。中央処理ユニット１２は、表示画面の一辺に沿って帯状にテキストの表示領域ＡＲ１を設定する。この実施例において、この一辺は、この表示画面の下辺が割り当てられる。また中央処理ユニット１２は、残る領域の左端側に目的地までの情報表示領域ＡＲ２を設定し、残りの領域ＡＲ３を地図の表示領域に設定する。
【００２５】
中央処理ユニット１２は、地図の表示領域ＡＲ３に、ＧＰＳ部１１で検出される現在位置周辺の地図を表示し、現在位置を示すマーカーＭ１、目的地を示すマーカーＭ２を表示する。なおこの地図の表示において、中央処理ユニット１２は、ルート検索した道路を、他の道路とは異なる所定の色彩で表示する。また画面のほぼ中央のフォーカス位置を円形のマークＭＭで囲って示す。またこの地図の表示領域ＡＲ３の右側端に進行方向の方位を示すコンパスのマークＭ４、走行中の道路の番号Ｍ５、携帯電話の通話可能エリアであることを示すマークＭ６を表示する。
【００２６】
また中央処理ユニット１２は、目的地までの情報表示領域ＡＲ２に、目的地までの距離（９９９ｋｍ）及び到着予測時間（１：５２ＰＭ）の表示Ｍ７、次の進路変更地点までの距離（９９９ｍ）及び経路案内の表示Ｍ８、現在の進行方向（ＮＮＷ）及び走行速度（１００ｋｍ／ｈ）の表示Ｍ９を表示する。
【００２７】
また中央処理ユニット１２は、図１（Ａ）に示すように、ディフォルトの状態で、テキストの表示領域ＡＲ１に、現在位置の名称、経路案内を文字により表示する。具体的に、この図１（Ａ）の例では、「Park Street to 24th Washington Ave」とあることから、現在の走行中の通りの名称が「Park Street 」であり、次に走行する通りの名称が「24th Washington Ave 」である旨、表示されている。中央処理ユニット１２は、このテキストの表示領域ＡＲ１の右端に、各種の操作メニュー表示を指示するＯＰＴＩＯＮメニューＢ１を表示する。
【００２８】
なお中央処理ユニット１２は、道案内の処理を実行していない状態で、ユーザーが現在地ボタン６を操作した場合には、この図１（Ａ）と同様の現在地の地図を表示する。しかしながらこの場合、道案内の処理を実行していないことにより、テキストの表示領域ＡＲ１には、現在位置の名称のみが表示され、また目的地に関する表示Ｍ７、Ｍ８の表示は中止される。
【００２９】
中央処理ユニット１２は、これら道案内の処理における地図の表示、及び道案内の処理を実行していない状態における地図の表示において、ディフォルトの状態では、地図の表示領域ＡＲ３のほぼ中央位置より下側位置が現在位置となるように、地図を表示する。またさらに矢印２１により示すように、タッチパネル３上においてユーザーが指等をスライドさせると、スライドさせた方向に、地図の表示をスクロールさせる。またスクロールさせた状態でユーザーが現在地ボタン６を操作すると、元のディフォルトの状態に地図表示を戻す。またユーザーが円形のマークＭＭの中央から指等をスライドさせると、スライドさせた方向に、この円形のマークＭＭの表示位置を移動させる。その後、マークＭＭが表示画面のほぼ中央となるように地図をスクロールさせる。
【００３０】
これに対して中央処理ユニット１２は、テキストの表示領域ＡＲ１に設けられたＯＰＴＩＯＮメニューＢ１の選択がタッチパネル３を介して検出されると、矢印Ｂにより示すように、現在位置の名称、経路案内の文字表示を、他の操作メニューＢ２〜Ｂ５の表示に切り換える。またＯＰＴＩＯＮメニューＢ１の表示色を切り換え、ＯＰＴＩＯＮメニューＢ１が選択されていることをユーザーに通知する。
【００３１】
またこの他の操作メニューＢ２〜Ｂ５を表示した状態で、一定時間の間、タッチパネル３の操作が検出されない場合、矢印Ｃにより示すように、このテキストの表示領域ＡＲ１の表示を元の表示に切り換える。
【００３２】
ここでこれら操作メニューＢ２〜Ｂ５のうちの、右端のメニューＢ５は、スピーカーの音量調整のメニューである。このメニューＢ５が選択されると、中央処理ユニット１２は、図４において矢印Ｄにより示すように、表示画面２の表示を音量調整の表示に切り換える。ここでこの音量調整の表示では、テキストの表示領域ＡＲ１を除く領域が地図表示の領域に割り当てられ（図４（Ｂ））、この地図表示の領域の右端に、音量の増大を指示するメニューＢ７、音量の低減を指示するメニューＢ８、消音を指示するメニューＢ９が表示される。さらにこれらのメニューＢ７〜Ｂ９の内側に、現在の音量を示す棒グラフ状の表示が設けられる。
【００３３】
中央処理ユニット１２は、タッチパネル３を介してこれらのメニューＢ７〜Ｂ９の選択が検出されると、音声回路１５の動作の制御により音量を可変し、さらには棒グラフ状の表示を切り換える。また中央処理ユニット１２は、この音量調整の表示において、一定時間の間、タッチパネル３の操作が検出されない場合、矢印Ｅにより示すように、元の表示に切り換える。
【００３４】
またこれら操作メニューＢ２〜Ｂ５のうちの、続くメニューＢ４は（図１）、縮尺切り換えのメニューであり、現在の縮尺による地図上の一定長さの距離が、この一定長さと共に表示される。このメニューＢ４が選択されると、中央処理ユニット１２は、図５において矢印Ｆにより示すように、表示画面２の表示を縮尺切り換えの表示に切り換える。ここでこの縮尺切り換えの表示では、音量調整の表示と同様に、テキストの表示領域ＡＲ１を除く領域が地図表示の領域に割り当てられ（図５（Ｂ））、この地図表示の領域の右端に、地図の縮小表示を指示するメニューＣ１、地図の拡大表示を指示するメニューＣ２が表示される。さらにこれらのメニューＣ１、Ｃ２の内側に、現在の縮尺を示す棒グラフ状の表示が設けられる。
【００３５】
中央処理ユニット１２は、タッチパネル３を介してこれらのメニューＣ１、Ｃ２の選択が検出されると、地図の縮尺を可変し、さらには棒グラフ状の表示を切り換える。また中央処理ユニット１２は、この縮尺切り換えの表示において、一定時間の間、タッチパネル３の操作が検出されない場合、矢印Ｇにより示すように、元の表示に切り換える。
【００３６】
なお中央処理ユニット１２は、これら音量調整の表示、縮尺切り換えの表示においても、地図上でユーザーが指等をスライドさせると、スライドさせた方向に、地図、マークＭＭの表示を移動させる。
【００３７】
またこれら操作メニューＢ２〜Ｂ５のうちの、続くメニューＢ３は（図１）、経路の表示を指示するメニューである。このメニューＢ３が選択されると、中央処理ユニット１２は、図６において矢印Ｈにより示すように、表示画面２の表示を経路の表示に切り換える。なお道案内の処理を実行していない状態における地図の表示において、このメニューＢ３は、薄く表示されて選択できないことが示される。
【００３８】
ここでこの経路の表示では、表示画面のほぼ全面に、現在地から近い順に、ルート途中の目標地、距離、経路案内が順次表示され、また右側にスクロールを指示するマークが表示される。また最下段に、ルートを編集する各種メニューが表示される。
【００３９】
中央処理ユニット１２は、この経路の表示において、スクロールのマークが選択されると、経路の表示をスクロールさせる。また編集のメニューが操作されると、編集メニューに表示を切り換えてルートの変更を受け付ける。また元の表示に戻すメニューが選択されると、矢印Ｉにより示すように、この経路の表示を元の表示に切り換える。
【００４０】
またこれら操作メニューＢ２〜Ｂ５のうちの、最も左端のメニューＢ２は（図１）、さらに他のメニューを開くメニューである。中央処理ユニット１２は、メニューＢ２が選択されると、道案内の設定、変更を指示するメニュー画面を表示する。ここでこのメニュー画面におけるメニューは、重要度の高いものと、重要度の低いものとに２分される。ここでこの重要度の高いメニューは、目的地の入力を受け付けるメニューＣ３、アドレスブックへの登録を指示するメニューＣ４、道案内を中止するメニューＣ５であり（図７（Ｂ））、地図上で確認が必要なメニューが含まれる。これに対して重要度の低いメニューは、ブロック毎にルートを表示してルートの変更を受け付けるメニューＣ７、ルート検索の次候補を表示するメニューＣ８であり（図７（Ｃ））、地図上で確認することが不要なメニューが割り当てられる。
【００４１】
中央処理ユニット１２は、初期状態において、このメニューＢ２が選択されると、図７において矢印Ｊにより示すように、テキスト表示の領域ＡＲ１を除く領域の左側領域に、これら重要度の高いメニューＣ３〜Ｃ５、重要度の低い側のメニューＣ７、Ｃ８を開くメニューＣ６を表示する。また残る領域の中央位置が、それまで表示していた地図の中心位置となるように、地図の表示位置を右側に移動させて表示する。中央処理ユニット１２は、この重要度の高いメニューＣ３〜Ｃ５及びメニューＣ６を表示して、一定期間の間、ユーザーによるタッチパネル３の操作が検出されない場合、矢印Ｋにより示すように、この表示を元の表示に戻す。
【００４２】
これに対して目的地の入力を受け付けるメニューＣ３が選択されると、円形のマークＭＭで囲ったフォーカス位置の場所を目的地に設定してルート検索の処理を実行し、道案内の処理を開始する。これに対してアドレスブックへの登録を指示するメニューＣ４が選択されると、目的地の入力を受け付ける場合と同様にして、円形のマークＭＭで囲ったフォーカス位置の場所をアドレスブックに登録する。また道案内を中止するメニューＣ５が選択されると、道案内の処理を中止する。なおこれらメニューＣ３〜Ｃ５のうち道案内を中止するメニューＣ５及び重要度の低いメニューを開くメニューＣ６は、道案内の処理を実行していない状態では、薄く表示されて選択困難とされる。また道案内の処理を実行している場合には、これらメニューＣ３〜Ｃ５のうち目的地を入力するメニューＣ３は、同様に薄く表示されて選択困難とされる。なお中央処理ユニット１２は、アドレスブックに登録を受け付けると、ユーザーの指示により地図の表示上において、対応する地点にマークを表示して目的地の入力等を簡略化する。
【００４３】
これに対して重要度の低い側のメニューＣ７、Ｃ８を開くメニューＣ６が選択されると、中央処理ユニット１２は、矢印Ｌに示すように、重要度の高いメニューＣ３〜Ｃ５に加えて重要度の低いメニューＣ７、Ｃ８を表示する。また重要度の低い側のメニューＣ７、Ｃ８を開くメニューＣ６に代えて、重要度の低い側のメニューＣ７、Ｃ８を閉じるメニューＣ９を表示する。
【００４４】
中央処理ユニット１２は、これらメニューＣ３〜Ｃ５、Ｃ７〜Ｃ９を表示して、ユーザーによる閉じるメニューが選択されると、矢印Ｍにより示すように、元の表示に切り換える。これに対してメニューＣ７、Ｃ８が選択されると、それぞれ対応するメニューを表示してユーザーの指示を受け付ける。これに対して一定期間の間、ユーザーによるタッチパネル３の操作が検出されない場合、矢印Ｎにより示すように、この表示を元の表示に戻す。
【００４５】
中央処理ユニット１２は、一旦、これら図７（Ｂ）及び（Ｃ）により示す画面を表示した後においては、いわゆるラストメモリの手法を適用して、他のメニューを開くメニューＢ２の操作により最後に表示した画面を表示する。
【００４６】
（２）実施例の動作
以上の構成において、このナビゲーション装置１では、ユーザーの操作により目的地の入力を受け付けてルート検索の処理を実行した後、この目的地までの道案内の処理を実行する。このナビゲーション装置１では、この道案内の処理が、表示部１３の表示画面２に地図を表示して実行され、これによりユーザーは、この地図上で現在位置、経路案内を確認して所望する目的地に間違いなく到着することができる（図１〜図３）。
【００４７】
またこの道案内の処理においては、表示画面２において、現在位置の名称、経路案内が文字により表示され、また音声により経路案内が通知され、これによりユーザーにおいては、地図の表示をいちいち確認しなくても、間違い無く目的地に到着することができる（図１〜図３）。
【００４８】
しかしながらこのような現在位置の名称、経路案内の文字による表示では、現在位置、経路案内を確実に把握できるものの、さらに各種操作に必要なメニューを表示すると、これらの表示により地図の表示領域が狭くなり、却って地図による現在位置等の把握を困難にする恐れがある。またタッチパネルの操作が煩雑になり、操作性が劣化することになる。また文字による情報の伝達にも支障を来すことになる。
【００４９】
具体的に、この実施例では、表示画面の下辺に沿った帯状の領域ＡＲ１で現在位置の名称、経路案内を文字により表示し、またこの領域ＡＲ１の表示を切り換えて各種メニューを表示していることにより、これらの文字及びメニューを並べて表示した場合、図１との対比により図８に示すように、地図の表示領域ＡＲ３が一段と小さくなる。
【００５０】
そこでこの実施例では、表示画面の下辺に沿った帯状の領域ＡＲ１で現在位置の名称、経路案内を文字により表示し、ユーザーによる指示により、この帯状の領域ＡＲ１の表示を、メニューの表示に切り換える。
【００５１】
これによりこの実施例では、地図の表示領域の著しい減少を有効に回避して、文字により現在位置、経路案内等の各種情報をユーザーに通知し、さらには各種の操作を受け付けることができる。従って地図、文字列に関する視認性を向上し、さらには操作性を向上することができる。また表示画面２をすっきりとしたものとすることができ、デザインを向上することができる。
【００５２】
またこのようにして現在位置の地図を表示した状態で、このナビゲーション装置１では、ユーザーによるメニューＢ３の選択が検出されると（図７（Ａ））、ラストメモリの手法により、直前で表示した各種メニューが表示される（図７（Ｂ）及び（Ｃ））。ここでナビゲーション装置１では、これらの各種のメニューの表示において、一方では、重要度の高いメニューが中央より左側に偏った領域に表示され、残りの領域に地図が表示される（図７（Ｂ））。またメニューＣ６の選択操作によるユーザーによる表示切り換えの指示により、全てのメニューの表示に表示が切り換えられる（図７（Ｃ））。またこの全てのメニューの表示からも、メニューＣ９の選択操作によるユーザーによる表示切り換えの指示により、重要度の高いメニューと地図との表示に表示が切り換えられる（図７（Ｃ））。                
【００５３】
これによりこのナビゲーション装置１では、重要度の高いメニューの表示において、タッチパネル３により十分に操作可能にメニューを表示する場合でも、十分に地図の表示領域を確保することができる。
【００５４】
また全てのメニューの表示においては、タッチパネル３により十分に操作可能に各メニューを表示することができる。これにより重要度の高いメニューの表示と、全てのメニューの表示とを切り換えることにより、地図による各種操作を可能に、各種のメニューを表示することができる。
【００５５】
またこの重要度の高いメニューが、地図における確認が必要なメニューであることから、より具体的には、地図より目的地の入力を受け付けるメニュー等であることにより、地図上で各種の操作を実行して所望の情報を入力することができる。従ってナビゲーション装置としての使い勝手を向上することができる。
【００５６】
すなわちナビゲーション装置１では、地図上で指をスライドさせて、地図の表示を移動させ、さらには地図上のマーカーＭＭを移動させることにより、このマーカーＭＭを所望する箇所に移動させ、その後、目的地の入力を受け付けるメニューＣ３を操作することにより、このマーカーＭＭで囲まれた箇所を目的地に設定する。さらには現在位置からこの目的地までのルート検索の処理を実行した後、道案内の処理を実行する。
【００５７】
また同様にしてマーカーＭＭを所望する箇所に移動させ、その後、アドレスブックへの登録を指示するメニューＣ４を操作することにより、このマーカーＭＭで囲まれた箇所をアドレスブックに登録することができる。これにより地図表示において、対応する地点にマークを表示して目的地の入力等を簡略化することができ、さらには近傍の施設等を確認することができる。
【００５８】
また重要なメニューの表示と地図の表示では、重要度の高いメニューを画面中央から一方の側に偏らせて表示すると共に、他方の側の領域に地図を表示し、それまでの表示のおける地図の中央を、この他方の側の領域の中央に設定して地図を表示することにより、それまでの表示画面のほぼ全面を用いた地図表示の場合と同様の使い勝手を得ることができ、これによりユーザーの使い勝手を向上することができる。
【００５９】
またラストメモリの手法を適用してこれらのメニューを表示することにより、ユーザーの使い勝手を優先して所望のメニュー画面を提供することができる。
【００６０】
（３）実施例の効果
以上の構成によれば、表示画面の１辺に沿った帯状の領域に、現在位置又は経路案内を文字表示し、ユーザーの指示により、この帯状の領域の表示をメニューの表示に切り換えることにより、地図の表示領域の著しい減少を有効に回避して各種情報をユーザーに通知し、またユーザーの操作を受け付けることができる。
【実施例２】
【００６１】
なお上述の実施例においては、表示画面の下辺に沿った帯状の領域に、文字を表示する場合について述べたが、本発明はこれに限らず、他の辺に沿った帯状の領域に表示するようにしてもよい。
【００６２】
また上述の実施例においては、現在位置及び経路案内を文字表示する場合について述べたが、本発明はこれに限らず、これらに加えてこれら以外を文字表示する場合にも広く適用することができる。
【００６３】
また上述の実施例では、一定期間の間、タッチパネルの操作が検出されない場合に元の表示に切り換える場合について述べたが、本発明はこれに限らず、ユーザー操作により元の表示に切り換える場合にも広く適用することができる。
【００６４】
また上述の実施例においては、本発明をＰＮＤに適用する場合について述べたが、本発明はこれに限らず、例えばナビゲーション機能を有する携帯電話等にも広く適用することができる。
【産業上の利用可能性】
【００６５】
本発明は、例えばＰＮＤに適用することができる。
【図面の簡単な説明】
【００６６】
【図１】本発明の実施例１のナビゲーション装置における表示画面の切り換えの説明に供する平面図である。
【図２】本発明の実施例１のナビゲーション装置を示す斜視図である。
【図３】本発明の実施例１のナビゲーション装置を示すブロック図である。
【図４】図１の続きの説明に供する平面図である。
【図５】図４の続きの説明に供する平面図である。
【図６】図５の続きの説明に供する平面図である。
【図７】図６の続きの説明に供する平面図である。
【図８】文字及びメニューを同時に表示した場合の説明に供する平面図である。
【符号の説明】
【００６７】
１……ナビゲーション装置、２……表示画面、３……タッチパネル、１１……ＧＰＳ部、１２……中央処理ユニット
【図１】
0005034932.tif 000002
【図２】
0005034932.tif 000003
【図３】
0005034932.tif 000004
【図４】
0005034932.tif 000005
【図５】
0005034932.tif 000006
【図６】
0005034932.tif 000007
【図７】
0005034932.tif 000008
【図８】
0005034932.tif 000009